(57)【要約】【課題】従来にはない回転動作する回転体を含めた複数の回転体を備えており、遊技性が高く、且つ、回転体を回転させるための機構が合理的な遊技部材が設置されてなる遊技機を提供する。【解決手段】第１回転体２７が反所定方向へ回転すると第１回転体２７のみが回転し、第１回転体２７が所定方向へ回転すると第２回転体２８が回転移動する遊技部材が設置されている。したがって、１つのモータ４０で複数の回転体２７、２８を回転させることができ、遊技性が高い上、両回転体２７、２８を回転させるための機構の合理化を図ることもでき、省スペース化を図ることができる。さらに、第２回転体２８については、第１回転体２７の周囲を回転移動するため、動作が非常に大きく、従来にない演出が可能となる。【選択図】図７
2014166401.tif 000002
【特許請求の範囲】
【請求項１】
ギア機構を介してモータに接続しており、前記モータの動作に伴い所定の軸周りで回転可能な第１回転体と、
対向状に延設された一対の腕部、及び該腕部の基端間に架設された本体からなるとともに、両前記腕部の先端を前記第１回転体の軸に遊挿しており、前記モータとは独立して前記第１回転体と同じ軸周りで前記第１回転体の周囲を回転移動可能な第２回転体と、
前記モータの動作に伴い前記第１回転体とともに回転し、前記第１回転体の所定方向への回転に伴い前記第２回転体の被押圧部を押圧する押圧部とを備えた遊技部材が設置されており、
前記遊技部材において、
前記第１回転体が前記所定方向へ回転すると、前記押圧部が前記被押圧部を押圧し、前記第２回転体が回転移動する一方、
前記第１回転体が反所定方向へ回転すると、前記押圧部が前記被押圧部から離隔し、前記第２回転体が回転移動しないことを特徴とする遊技機。
【発明の詳細な説明】
【技術分野】
【０００１】
本発明は、たとえばパチンコ機やスロットマシーン等といった遊技機に関するものである。
【背景技術】
【０００２】
従来、たとえば遊技機の一例であるパチンコ機には、図柄表示部における演出表示に連動して回転動作し、遊技者に大当たりの期待を抱かせたり、遊技状態を報知したりするような遊技部材を遊技盤の前面等に設置してなるものがある（たとえば特許文献１）。
【先行技術文献】
【特許文献】
【０００３】
【特許文献１】特開２００９−１７２１３１号公報
【発明の概要】
【発明が解決しようとする課題】
【０００４】
しかしながら、特許文献１に記載の遊技部材は、遊技盤の前後方向へ移動するわけではなく、その場で回転するのみであるため動きが単調であるし、遊技者から視認可能な回転体は１つしかなく、遊技性に乏しいという問題がある。また、複数の回転体を回転させるために、特許文献１に記載の遊技部材を複数個設置するのでは、モータ等も複数必要になり、回転体を回転させるための機構の設置スペースを確保しにくい等といった問題が生じることになる。
【０００５】
そこで、本発明は、上記問題に鑑みなされたものであって、従来にはない回転動作する回転体を含めた複数の回転体を備えており、遊技性が高く、且つ、回転体を回転させるための機構が合理的な遊技部材が設置されてなる遊技機を提供しようとするものである。
【課題を解決するための手段】
【０００６】
上記目的を達成するために、本発明は、ギア機構を介してモータに接続しており、前記モータの動作に伴い所定の軸周りで回転可能な第１回転体と、対向状に延設された一対の腕部、及び該腕部の基端間に架設された本体からなるとともに、両前記腕部の先端を前記第１回転体の軸に遊挿しており、前記モータとは独立して前記第１回転体と同じ軸周りで前記第１回転体の周囲を回転移動可能な第２回転体と、前記モータの動作に伴い前記第１回転体とともに回転し、前記第１回転体の所定方向への回転に伴い前記第２回転体の被押圧部を押圧する押圧部とを備えた遊技部材が設置されており、前記遊技部材において、前記第１回転体が前記所定方向へ回転すると、前記押圧部が前記被押圧部を押圧し、前記第２回転体が回転移動する一方、前記第１回転体が反所定方向へ回転すると、前記押圧部が前記被押圧部から離隔し、前記第２回転体が回転移動しないことを特徴とする。
【０００７】
なお、ギア機構を介してモータに接続しており、前記モータの動作に伴い所定の軸周りで回転可能な第１回転体と、対向状に延設された一対の腕部、及び該腕部の基端間に架設された本体からなるとともに、両前記腕部の先端を前記第１回転体の軸に遊挿しており、前記モータとは独立して前記第１回転体と同じ軸周りで前記第１回転体の周囲を回転移動可能な第２回転体と、前記第１回転体に設けられており、前記第１回転体の所定方向への回転に伴い前記第２回転体を押圧する押圧部とを備えており、前記第２回転体が、前記第１回転体に対して、前記軸周りで隣接した隣接位置にある通常姿勢と、前記第１回転体が反所定方向へ回転し、前記第２回転体については前記隣接位置から回転移動しない第１演出姿勢と、前記第１回転体が前記所定方向へ回転し、前記押圧部により押圧された前記第２回転体が前記隣接位置から回転移動する第２演出姿勢との少なくとも３つの姿勢をとることができる遊技部材が設置されるような構成も考えられる。
【０００８】
また、上記構成において、前記第１回転体及び前記第２回転体が、第１装飾面と、前記第１装飾面とは異なる第２装飾面との２つの装飾面を夫々備えており、前記通常姿勢においては、前記第１回転体及び前記第２回転体がどちらも前記第１装飾面を前方へ向け、前記第１演出姿勢においては、前記第１回転体が前記反所定方向への回転により前記第２装飾面を前方へ向けている一方、前記第２回転体は前記隣接位置で前記第１装飾面を前方へ向け、前記第２演出姿勢においては、前記第１回転体の前記所定方向への回転により、前記第２回転体が前記隣接位置から前記第１回転体の前方へ移動し、前記第２装飾面を前方へ向けているように構成することも考えられる。
この構成を採用すると、第１回転体及び第２回転体が種々の装飾面を前方へ向ける複数の演出姿勢が可能であり、遊技性の一層の向上を図ることができるといった効果がある。
【０００９】
さらに、上記両構成の何れかにおいて、前記第１回転体の軸部に、軸径よりも大径な板状部を設け、前記板状部の偏心位置に押圧凸部を軸方向へ突設する一方、前記腕部の先端の外周縁に、前記軸部の径方向へ突出する突起を突設しており、前記通常姿勢において、前記第１回転体が所定方向へ回転した際に前記突起を押圧する方向から、前記押圧凸部が前記突起に当接しているように構成することも考えられる。
この構成を採用すると、第１回転体の軸部に、軸径よりも大径な板状部を設け、板状部の偏心位置に押圧凸部を軸方向へ突設する一方、腕部の先端の外周縁に、軸部の径方向へ突出する突起を突設しており、通常姿勢において、第１回転体が所定方向へ回転した際に突起を押圧する方向から、押圧凸部を突起に当接させているため、第１回転体の回転に伴い第２回転体を回転移動させるための構成が簡素であり、当該構成の一層の合理化及び小型化を図ることができるといった効果がある。
【発明の効果】
【００１０】
本発明によれば、第１回転体が反所定方向へ回転すると第１回転体のみが回転し、第１回転体が所定方向へ回転すると第２回転体が回転移動する遊技部材が設置されている。したがって、１つのモータで複数の回転体を回転させることができ、遊技性が高い上、両回転体を回転させるための機構の合理化を図ることもでき、省スペース化を図ることができる。
【図面の簡単な説明】
【００１１】
【図１】パチンコ機を前面側から示した説明図である。
【図２】遊技盤を前面側から示した説明図である。
【図３】パチンコ機を後面側から示した説明図である。
【図４】カバー部材の内部を示した説明図である。
【図５】第１回転体及び第２回転体が通常姿勢となる遊技部材を示した斜視説明図である。
【図６】第１演出姿勢をとった遊技部材を示した斜視説明図である。
【図７】第２演出姿勢をとった遊技部材を示した斜視説明図である。
【図８】第２演出姿勢をとった遊技部材を異なる方向から示した斜視説明図である。
【図９】遊技部材の分解状態を示した説明図である。
【発明を実施するための形態】
【００１２】
以下、本発明の一実施形態となるパチンコ機について、図面にもとづき詳細に説明する。
【００１３】
（パチンコ機全体の説明）
図１は、パチンコ機１を前面側から示した説明図である。また、図２は、遊技盤２を前面側から示した説明図である。さらに、図３は、パチンコ機１を後面側から示した説明図であり、図４は、カバー部材４４の内部を示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を嵌め込み設置してなる前扉４が、左端縁を軸として片開き可能に機枠３に蝶着されており、該前扉４によって閉塞される遊技盤２の前方空間が遊技領域１６とされている。
【００１４】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字や絵柄等からなる「図柄」を表示するための図柄表示部６が設けられている。さらに、図柄表示部６を囲むように後述するセンター部材２５が設置されており、該センター部材２５には後述する遊技部材２６が取り付けられている。加えて、遊技領域１６には、遊技球が通過可能なゲート部材２１、一対の爪片を開閉動作可能に備えたチューリップ式電動役物１７、開閉可能な扉部材を有する大入賞装置１８、風車１９や図示しない多数の遊技釘等が設置されている。
【００１５】
また、機枠３の前面側であって上記遊技盤２の下方には、遊技球を発射装置１０へ供給するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させるためのハンドル９が回動操作可能に設置されている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤを備えたランプ部材１５、１５が設けられている。
【００１６】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置４８、及び各制御基板や装置・部材に電源電圧を供給するための電源装置４９等が設置されている。また、４４は、合成樹脂製のカバー部材であって、当該カバー部材４４の内部には、図柄表示部６に「図柄」を表示させるための液晶表示装置（図示せず）、遊技に係る主たる制御（たとえば、所謂「大当たり抽選」等）を実行するためのメイン制御装置２０、図柄表示部６における表示動作等を制御する表示制御装置４７、及び払出装置１２や表示制御装置４７、スピーカ１４やランプ部材１５等の動作を統合的に制御するサブ制御装置２２等が設置されている。尚、４５は、パチンコ機１をトランスに接続するためのプラグであり、４６は、アースである。
【００１７】
以上のようなパチンコ機１では、遊技者によってハンドル９が回動操作されると、発射装置１０が作動して遊技球が遊技領域１６内へ打ち込まれる。そして、遊技領域１６内を流下する遊技球がチューリップ式電動役物１７へ入賞すると、メイン制御装置２０にて「大当たり抽選」を行い、所謂「大当たり」である場合には、図柄表示部６に「図柄」を所定態様（たとえば、「７、７、７」等）で表示させた後、大入賞装置１８の扉部材を所定回数にわたって断続的に開成させるといった所謂「大当たり状態」を生起させる。また、「大当たり状態」を生起させるまでの演出時には、遊技部材２５を作動させ、遊技者に「大当たり状態」生起の期待感を抱かせる。
【００１８】
（遊技部材の説明）
ここで、本発明の要部となる遊技部材２６について、図５〜図９にもとづき詳細に説明する。
図５は、第１回転体２７及び第２回転体２８が通常姿勢となる遊技部材２６を示した斜視説明図である。図６は、第１演出姿勢をとった遊技部材２６を示した斜視説明図である。図７は、第２演出姿勢をとった遊技部材２６を示した斜視説明図であり、図８は、同じく第２演出姿勢をとった遊技部材２６を異なる方向から示した斜視説明図である。図９は、遊技部材２６の分解状態を示した説明図である。尚、遊技部材２６を構成する各部材の前後左右方向については、遊技盤２への取付姿勢を基準として説明する。
【００１９】
遊技部材２６は、第１回転体２７と、第２回転体２８と、両回転体２７、２８を回転させるための駆動機構２９と、それらを収納するケーシング部材３０とからなる。第１回転体２７は、透光性を有する合成樹脂により成形された左右方向へ長い四角柱体であって、略正方形状の左右両側面には軸部３１、３１が突設されており、左側の軸部３１の先端には第１ギア部材４１が、右側の軸部３１の先端には回転板４３が夫々螺着されている。第１ギア部材４１は、軸部３１の径よりも大径な円板体で、左面にギアが設けられているとともに、略中央には軸部３１にネジ止めするためのネジ孔５３が設けられている。また、第１ギア部材４１の左面には、円弧状の壁部５５がギアと干渉しないように左方へ突設されている。さらに、第１ギア部材４１の右面の偏心位置には、後述の如くして第２回転体２８を回転移動させるための押圧凸部５４が軸方向と平行に右方へ突設されている。一方、回転板４３は、第１ギア部材４１と略同様な形状に形成された板状体であり、中央にはネジ孔５３が設けられているとともに、左面の偏心位置には押圧凸部５４が左方へ突設されているものの、ギアについては備えていない。また、第１回転体２７の前面が第１装飾面３２とされ、上面が第２装飾面３３とされている。そして、通常時は、第１装飾面３２を前方へ向けた姿勢で、軸部３１、３１（すなわち左右方向）を軸として回転可能にケーシング部材３０へ支持される。尚、５６は、回転板４３に設けられた円弧状の挿通孔であって、ハーネスを挿通可能となっているとともに、回転板４３が回転しても挿通孔５６内を挿通するハーネスと回転板４３とが干渉しないようになっている。
【００２０】
第２回転体２８は、対向して延設された一対の腕部３４、３４の基端間に方形状の本体２８ａを架設してなり、本体２８ａの前面が第１装飾面３５、下面が第２装飾面３６とされている。各腕部３４は帯状に形成されており、その先端には第１回転体２７の軸部３１を直交方向に遊挿可能な円板部３７が設けられている。また、その円板部３７の略中央には、軸部３１を遊挿可能な軸孔３８が穿設されている。そして、第２回転体２８は、軸孔３８、３８内へ軸部３１、３１を遊挿させた状態で取り付けられており、通常時、第１回転体２７の下方に隣接した位置において第１装飾面３５を前方へ向けた姿勢となっている。さらに、各円板部３７の外周縁には、突起３９が径方向に沿って外方へ突設されている。該突起３９は、第１回転体２７及び第２回転体が共に上記通常姿勢にある場合に押圧凸部５４に当接している。そして、第１回転体２７が左方から見て左回りに回転すると押圧凸部５４が突起３９を押圧し、第１回転体２７が右回りに回転すると押圧凸部５４が突起３９から離隔するようになっている。尚、第２回転体２８は、本体２８ａ内に電飾部材を内蔵しており、第１装飾面３５及び第２装飾面３６は発光装飾可能となっている。また、腕部３４には、内蔵された電飾部材を外部の電源等と接続するためのハーネスを案内する案内部３４ａが形成されている。
【００２１】
駆動機構２９は、モータ４０と、モータ４０と第１回転体２７（第１ギア部材４１）とを連結する第２ギア部材４２と、第１回転体２７の回転位置を検出するためのセンサ５０と、モータ４０を固定するハウジング５１と、第２回転体２８を上記通常姿勢側へ付勢するバネ部材５２とからなる。センサ５０は、第１ギア部材４１の近傍に設置された光センサであって、図示しない制御装置へ接続されており、壁部５５が投光素子と受光素子との間に位置しているか否かを検出することによって、第１回転体２７の回転姿勢を判断可能となっている。さらに、バネ部材５２は、軸部３１に嵌装された状態で第２回転体２８の円板部３７と第１回転体２７の側面との間に位置されており、第２回転体２８を、第１装飾面３５が前方を向く通常姿勢側へ付勢するようになっている。尚、第２ギア部材４２は、モータ４０の回転を第１ギア部材４１、ひいては第１回転体２７及び第２回転体２８へ伝えるための部材であり、ハウジング５１は、左右方向を軸としてモータ４０を固定するためのケーシングである。
ケーシング部材３０は、第１回転体２７や第２回転体２８、駆動機構２９等をセンター部材２５の一部として取り付けるための箱状部材であって、前面及び下面が開放されているとともに、第１回転体２７を収納する収納部やモータ４０を収納するための収納部、ハウジング５１を取り付けるための取付部等が設けられている。また、上記通常姿勢にある第２回転体２８の腕部３４、３４が当接し、第２回転体２８が通常姿勢を超えて回転移動することを防止する支持部も設けられている。
【００２２】
ここで上記構成を有する遊技部材２６の動作について説明する。
まず、通常時、第１回転体２７は第１装飾面３２を前方に向けた姿勢となっており、第２回転体２８も第１回転体２７の下方で第１装飾面３５を前方に向けた姿勢となっている（図５）。ここで、所定の演出に伴い、左方から見てモータ４０が右回りに回転すると、第１回転体２７のみがモータ４０と同方向へ回転して、第１回転体２７の第２装飾面３３が前方へ向き、第１装飾面３２が下面を向く第１演出姿勢となる（図６）。このとき、軸部３１が第２回転体２８の軸孔３８へ遊挿されていること、及び第１ギア部材４１の押圧凸部５４が第２回転体２８の突起３９から離隔する方向へ移動することにより、第２回転体２８は回転移動せず、第２回転体２８は第１装飾面３５を前方へ向けた姿勢のままとなっている。そして、当該演出が終了すると、モータ４０は左方から見て左回りに回転し、第１回転体２７は、第１装飾面３２が前方を向く上記通常時の姿勢へと復帰する。
【００２３】
一方、上記演出とは異なる所定の演出に伴い、左方から見てモータ４０が左回りに回転すると、第１回転体２７はモータ４０と同方向へ回転する。すると、該回転に伴い第１回転体２７が第２回転体２８に作用して、すなわち押圧凸部５４、５４が第２回転体２８の突起３９、３９を押圧し、第２回転体２８が回転移動する。そして、第１回転体２７の第１装飾面３２が上面へ向くまで回転すると、第２回転体２８が、第２装飾面３６を前方へ向けた姿勢で第１回転体２７の前方に位置し、第１回転体２７を被覆する第２演出姿勢となる（図７、図８）。すなわち、第２回転体２８の本体２８ａは、第１回転体２７の下方から前方へとせり出すように第１回転体２７の周囲を回転移動する。このとき、バネ部材５２が第２回転体２８を通常姿勢側へ付勢しているため、第１回転体２７の前方で回転方向にガタ付いたりしない。そして、当該演出が終了すると、モータ４０は左方から見て右回りに回転する。すると、第１回転体２７が上記通常時の姿勢へと復帰するとともに、押圧凸部５４の移動により突起３９が支えを失い、第１回転体２７の下方で第１装飾面３５が前方を向く通常時の姿勢へと復帰する。
尚、モータ４０は、制御装置によって回転動作を制御されており、センサ５０による検出結果とあわせて第１回転体２７の回転姿勢は把握されている。
【００２４】
（本実施形態による効果）
以上のような構成を有するパチンコ機１によれば、モータ４０の回転によって直接的に回転する第１回転体２７と、対向状に延設された一対の腕部３４、３４及び腕部３４、３４の基端間に架設された本体２８ａとからなるとともに、各腕部３４の先端が軸部３１、３１に遊挿されており、モータ４０の回転によって間接的に、すなわち第１回転体２７の回転に伴い第１回転体２７に押圧されて第１回転体２７の周囲を回転移動する第２回転体２８とを備えた遊技部材２６が設置されている。したがって、２つの回転体２７、２８を回転させることができるため、遊技性の向上を図ることができるし、第２回転体２８については動作の大きな従来にない回転動作とすることができ、新たな演出が可能となる。さらに、１つのモータ４０により行うことができるため、構成の合理化を図ることができ、駆動機構２９の設置スペース等を省スペース化し、遊技部材２６、ひいては遊技盤２の設計自由度を向上することができる。
【００２５】
また、第２回転体２８は、第１回転体２７が所定方向へ回転する場合にのみ回転移動するようになっており、第１回転体２７と第２回転体２８との両第１装飾面３２、３５が前方を向く通常姿勢と、第１回転体２７のみが反所定方向へ回転して第２装飾面３３を前方へ向ける第１演出姿勢と、第１回転体２７が所定方向へ回転することにより第２回転体２８が回転し、第１回転体２７の前方において第２装飾面３３を前方へ向け、第１回転体２７を被覆する第２演出姿勢との３つの姿勢をとることができるようになっている。したがって、第１回転体２７の回転方向の違いに伴って種々の演出姿勢をとらせることができ、遊技性の更なる向上を図ることができる。
【００２６】
さらに、第１回転体２７の回転に伴い第２回転体２８を回転移動させる構成としては、第１回転体２７の軸部３１、３１に固定される第１ギア部材４１及び回転板４３に夫々押圧凸部５４を設けるとともに、第２回転体２８に、通常姿勢において、押圧凸部５４、５４が当接する突起３９、３９を設けており、第１回転体２７が所定方向へ回転する場合には各押圧凸部５４が各突起３９を押圧する一方、反所定方向へ回転する場合には各押圧凸部５４が各突起３９から離隔するように構成している。したがって、簡易な構成で、３つの姿勢をとらせることができ、構成の一層の合理化及び小型化を図ることができる。
【００２７】
加えて、腕部３４にハーネスの案内部３４ａを、回転板４３にハーネスを挿通させるための円弧状の挿通孔５６を夫々設けており、第２回転体２８に内蔵された発光部材と外部の電源等を接続するハーネスを、挿通孔５６及び案内部３４ａを介して第２回転体２８の内部へ導いている。したがって、ハーネスにねじれ等が生じにくく、ハーネスの断線を防止することができる。
【００２８】
（本発明の変更例）
なお、本発明の遊技機に係る構成は、上記実施形態に何ら限定されるものではなく、遊技機の全体的な構成は勿論のこと、第１回転体及び第２回転体の形状や設置位置、第２回転体を回転させるための構成等についても、本発明の趣旨を逸脱しない範囲で必要に応じて適宜変更可能である。
【００２９】
たとえば、上記実施形態では、第１回転体に装飾面として第１装飾面と第２装飾面との２面しか設けていないが、たとえば通常姿勢時における背面を第３装飾面とし、第１回転体を反所定方向（実施形態では、左方から見て右回り）へ１８０度回転させて、第３装飾面を前方に向けるような第３演出姿勢をとらせるように構成することも可能である。さらに、第１回転体を反所定方向へ回転させる場合には、所定の装飾面を前方に向けるのではなく、３６０度回転させ続けるような演出をとることも可能であるし、スペースが許すのであれば、第１回転体を所定方向へ回転させる際、第２回転体が第１回転体の周囲を一周するように構成してもよい。
また、第１回転体の回転に伴って第２回転体を回転させる構成についても、上記実施形態の構成に何ら限定されることはなく、たとえば第１回転体の背面から第２回転体の後方へと舌片（押圧部）を突設し、該舌片によって第２回転体を持ち上げるような構成を採用することも可能である。
【００３０】
さらに、第２回転体を第１回転体の上方に設け、第１回転体の所定方向への回転に伴い、第２回転体を第１回転体の上方から前方へ回転移動させるように構成することも可能であるし、第１回転体及び第２回転体を左右に並設するとともに、上下方向を軸として両回転体を回転可能としており、第１回転体の所定方向への回転に伴い、第２回転体を第１回転体の左右何れかの側方から前方へ回転移動させるように構成することも可能である。すなわち、第２回転体が、第１回転体に対して、その軸周りで隣接する位置にあればよい。
さらにまた、上記実施形態では、第１回転体とモータとを連結し、第１回転体の回転に伴い第２回転体が第１回転体の周囲を回転する構成としているが、逆に第２回転体とモータとを連結し、第１回転体の周囲を回転する第２回転体の回転に伴い第１回転体が回転するような構成も考えられる。
加えて、上記実施形態では、遊技機の一例であるパチンコ機について説明しているが、第１回転体及び第２回転体をスロットマシーン等の他の遊技機に適用しても何ら問題はない。
【符号の説明】
【００３１】
１・・パチンコ機、２・・遊技盤、２６・・遊技部材、２７・・第１回転体、２８・・第２回転体、２９・・駆動機構（ギア機構）、３０・・ケーシング部材、３１・・軸部、３２・・第１装飾面、３３・・第２装飾面、３４・・腕部、３４ａ・・案内部、３５・・第１装飾面、３６・・第２装飾面、３７・・円板部、３８・・軸孔、３９・・突起、４０・・モータ、４１・・第１ギア部材（板状部）、４２・・第２ギア部材、４３・・回転板（板状部）、５０・・センサ、５１・・ハウジング、５２・・バネ部材、５３・・ネジ孔、５４・・押圧凸部（押圧部）、５５・・壁部、５６・・挿通孔。
【図１】
2014166401.tif 000003
【図２】
2014166401.tif 000004
【図３】
2014166401.tif 000005
【図４】
2014166401.tif 000006
【図５】
2014166401.tif 000007
【図６】
2014166401.tif 000008
【図７】
2014166401.tif 000009
【図８】
2014166401.tif 000010
【図９】
2014166401.tif 000011